(57)【要約】【課題】画像形成時に画像ムラが発生せず、繰り返し使用や高温高湿の懐中の様な環境に放置しても画像面がカード表面より剥離しない、良好な画像品質と耐久性を有する無線素子を有する画像記録材料を提供する。【解決手段】無線交信可能な無線素子を有する画像記録材料において、基体上に特定条件を有する白色顔料含有層と画像形成層とを有し、該白色顔料含有層と基体との間に無線素子を含有することを特徴とする画像記録材料。【選択図】　　　　図１
2004098604.tif 000002
【特許請求の範囲】
【請求項１】
基体上に無線交信可能な無線素子を含有する層を有する画像記録材料において、
該画像記録材料は、複数の層を有し、
該複数の層の少なくとも１層が、平均粒径が０．１μｍ〜０．２５μｍの白色顔料を含有する白色顔料含有層であり、
該白色顔料含有層の上層に画像形成層を有し、かつ、
該白色顔料含有層の下層に該無線素子を含有する層を有することを特徴とする画像記録材料。
【請求項２】
基体上に無線交信可能な無線素子を含有する層を有する画像記録材料において、
該画像記録材料は、複数の層を有し、
該複数の層の少なくとも１層が、単位面積当たりの占有面積比率の変動係数Ｓ／Ｒ（Ｓは該占有面積比率の標準偏差、Ｒは単位面積当たりの平均面積比率）が、０．２５以下である白色顔料含有層であり、
該白色顔料含有層の上層に画像形成層を有し、かつ、
該白色顔料含有層の下層に該無線素子を含有する層を有することを特徴とする画像記録材料。
【請求項３】
基体上に無線交信可能な無線素子を含有する層を有する画像記録材料において、
該画像記録材料は、複数の層を有し、
該複数の層の少なくとも１層が、ルチル型酸化チタンを含有する白色顔料含有層であり、
該白色顔料含有層の上層に画像形成層を有し、かつ、
該白色顔料含有層の下層に該無線素子を含有する層を有することを特徴とする画像記録材料。
【請求項４】
基体上に無線交信可能な無線素子を含有する層を有する画像記録材料において、
該画像記録材料は、複数の層を有し、
該複数の層の少なくとも１層が、空隙含有層であり、
該空隙含有層の上層に画像形成層を有し、かつ、
該空隙含有層の下層に該無線素子を含有する層を有することを特徴とする画像記録材料。
【請求項５】
基体上に無線交信可能な無線素子を有する画像記録材料において、
該画像記録材料は、片側の面に画像形成層を有し、かつ、該画像形成層を有する面と反対側の面に印刷面を有し、
該印刷面における印刷実施領域に対応して、該無線素子の搭載位置が決められていることを特徴とする画像記録材料。
【請求項６】
基体上に無線交信可能な無線素子を有する画像記録材料において、
該画像記録材料は、片側の面に画像形成層を有し、かつ、該画像形成層を有する面と反対側の面に印刷面を有し、
該印刷面上に着色剤と該無線素子とを混合したインクで該無線素子を含有する領域を形成することを特徴とする画像記録材料。
【請求項７】
前記画像形成層が、ハロゲン化銀写真乳剤を含有することを特徴とする請求項１〜６のいずれか１項に記載の画像記録材料。
【発明の詳細な説明】
【０００１】
【発明の属する技術分野】
本発明は、無線交信可能な無線素子を有する画像記録材料に関する。
【０００２】
【従来の技術】
従来の磁気ストライプを有する磁気カードに代わり、記憶容量の大きなＩＣカードが身分証明証などのＩＤカードに利用されている。このＩＣカードは、カードの内部にＩＣチップ（ＩＣモジュール）を有し、表面に設けられた電気接点やカード内部のループアンテナを介して外部の機器とデータの授受等の無線交信ができる様に構成されている。
【０００３】
ＩＣカードと外部機器との無線交信には、接触型と呼ばれる電気接点を使用して交信を行うものと、非接触型と呼ばれるカード内に内蔵したループアンテナ等を使用して信号授受による無線交信を行うものがある。
【０００４】
ところで、印画紙や昇華インク画像を形成する画像形成面を有するＩＣカードがあり、画像形成面上にカード所有者の顔写真画像を作成するとともにＩＣチップにカード所有者の個人情報等を記録することで、画像情報と電子情報を併用できるカードがある。
【０００５】
すなわち、ＩＣカードの片面或いは両面に、感光されていない極薄反射型フィルム、極薄反射型ペーパー或いは剥離ペーパーを貼り合わせてなる印画紙カードが開示されている。（特許文献１参照。）
また、ＩＣチップ載置用基板のＩＣチップを載置していない側のＩＣカード表面を画像形成面としたり、画像形成される位置のＩＣカード内部にＩＣチップやループアンテナ及び配線が存在しない様に画像形成位置を調整して、ＩＣカード上に顔画像等の階調画像を昇華型転写方式で画像形成することが開示されている。（特許文献２参照。）
また、ＩＣチップを含有した画像形成材料を射出成形を行って製造する時に、金型内に注入された樹脂の作用でＩＣチップが所定位置からずれる問題があったが、多孔質材料で形成された金型部分に吸気手段を設けて樹脂の流入によるＩＣチップの位置ズレ防止を行う技術がある。（特許文献３参照。）
【０００６】
【特許文献１】
特開平７−３３３７８３号公報（段落０００８）
【０００７】
【特許文献２】
特開平９−３２３４９０号公報（段落００２３〜００３９）
【０００８】
【特許文献３】
特開平１１−１１０６４号公報（段落０００８、００１９）
【０００９】
【発明が解決しようとする課題】
しかしながら、上記の文献では、ＩＣカード上の画像形成部で形成された画像の品質を十分に検討したものではなかった。特開平７−３３３７８３号公報（特許文献１）に記載の印画紙を貼り付けたＩＣカードでは、画像ムラが生じ易いという問題が見出された。また、この文献に開示されたＩＣカードは印画紙を貼り付けた構造を有しているので、カードの繰り返し使用やユーザが懐中に携帯した時の発汗の影響で接着面が劣化して印画紙がＩＣカード表面から剥離する問題を有していた。
【００１０】
この様に、ＩＣカード上のどの様な個所でも良好な画質の画像形成が可能で、しかも経時で画像面がＩＣカードから剥離することのない安定した画像記録材料の登場が待たれていた。
【００１１】
本発明は、上記問題を鑑みてなされたもので、ＩＣカード上に形成された顔写真画像の様な画像を形成する際に画像ムラが発生せず、しかも、カードを繰り返し使用したり、常時懐中に置いても発汗で画像面が剥離することのない無線素子を内蔵した画像記録材料を提供することを目的とする。
【００１２】
また、特開平１１−１１０６４号公報（特許文献３）では、射出成形時にＩＣチップが位置ズレ防止は可能にしたが、ＩＣチップの所在位置がカード表面から見えないため、成形したカードを所定の大きさにカッティングする時にＩＣチップを誤って破損する問題を有していた。また、ＩＣチップがカード内のどこにあるか把握できないので、チップに記録された情報の読出しに時間を要するという問題もあった。
【００１３】
本発明の他の目的は、ＩＣチップがカード表面から見えない状態にあっても、カードを所定の大きさにカッティングするときにＩＣチップを誤って破損させたり、情報の記録や読出しを迅速に行うことの可能な高い生産性と信頼性有する画像記録材料を提供することである。
【００１４】
【課題を解決するための手段】
本発明は、基体上に白色顔料を有してなる白色顔料含有層を特別な条件を付与して設けると、画像ムラが発生しない良好な画質を有し、カードを繰り返し使用したり、常時懐中に携帯していても画像面が剥離しない無線素子を有する画像記録材料を見出した。すなわち、本発明は以下に記載のいずれか１項に記載の構成により達成される。
【００１５】
〔１〕基体上に無線交信可能な無線素子を含有する層を有する画像記録材料において、該画像記録材料は、複数の層を有し、該複数の層の少なくとも１層が、平均粒径が０．１μｍ〜０．２５μｍの白色顔料を含有する白色顔料含有層であり、該白色顔料含有層の上層に画像形成層を有し、かつ、該白色顔料含有層の下層に該無線素子を含有する層を有することを特徴とする画像記録材料。
【００１６】
該白色顔料含有層の上層とは、白色顔料含有層の基体から遠い側に設けられる層をいい、本発明では白色顔料含有層の直ぐ上の層であっても、途中に他の層を介するものでもいずれでもよい。また、該白色顔料含有層の下層とは、白色顔料含有層の基体に近い側、すなわち白色顔料含有量と基体との間に設けられる層をいい、白色顔料含有層の直下の層でも、途中に他の層を有するものでもいずれでもよい。
【００１７】
画像形成層とは、顔写真画像や文字画像を、たとえばハロゲン化銀写真感光材料処理装置のような画像形成装置を用いて形成する層をいう。
【００１８】
無線素子を有する層とは、たとえば、ＩＣカードにおけるＩＣチップのような無線交信可能な素子を含有した層である。本発明に係る無線素子を有する層は、後述する図１のように独立した層の他に、後述するパルプ原紙の中にＩＣチップを漉込むものも含む。
【００１９】
無線素子とは、たとえばＩＣチップのように、ＩＣカードと外部装置との無線交信で、交信用の情報を記憶しておく素子をいうが、本発明では、ＩＣチップの他に、ＩＣカードと外部装置との通信手段であるループアンテナや、情報のやりとりを円滑に行うための同調用コンデンサ等の付属部品も含む。
【００２０】
〔２〕基体上に無線交信可能な無線素子を含有する層を有する画像記録材料において、該画像記録材料は、複数の層を有し、該複数の層の少なくとも１層が、単位面積当たりの占有面積比率の変動係数Ｓ／Ｒ（Ｓは該占有面積比率の標準偏差、Ｒは単位面積当たりの平均面積比率）が、０．２５以下である白色顔料含有層であり、該白色顔料含有層の上層に画像形成層を有し、かつ、該白色顔料含有層の下層に該無線素子を含有する層を有することを特徴とする画像記録材料。
【００２１】
占有面積比率とは、白色顔料含有層における白色顔料粒子の単位面積当たりの占有面積の割合をいう。
【００２２】
〔３〕基体上に無線交信可能な無線素子を含有する層を有する画像記録材料において、該画像記録材料は、複数の層を有し、該複数の層の少なくとも１層が、ルチル型酸化チタンを含有する白色顔料含有層であり、該白色顔料含有層の上層に画像形成層を有し、かつ、該白色顔料含有層の下層に該無線素子を含有する層を有することを特徴とする画像記録材料。
【００２３】
以上のように、本発明は、画像記録材料に上記のような特定条件を有する白色顔料含有層を画像記録材料中に設けることにより、画像形成層に形成される顔写真等の画像に画像ムラが発生せず、繰返し使用等により画像面が剥離しない無線素子を有する画像記録材料を見出した。従来の技術では、白色顔料含有層を設けることで白色度を向上させて、記録材料上に形成された画像の鮮鋭性や光沢性、白色性を向上させることにより、画質を向上させることは知られていたが、特定条件で白色顔料含有層を設けることにより、露光条件に起因して生ずる画像ムラの問題を解消した画像記録材料が得られることは全く予期していなかった。
【００２４】
また、本発明は、基体上に微細な空隙よりなる空隙含有層を設けることによっても、画像ムラが発生しない無線素子を含有する画像記録材料を見出した。
【００２５】
〔４〕基体上に無線交信可能な無線素子を含有する層を有する画像記録材料において、該画像記録材料は、複数の層を有し、該複数の層の少なくとも１層が、空隙含有層であり、該空隙含有層の上層に画像形成層を有し、かつ、該空隙含有層の下層に該無線素子を含有する層を有することを特徴とする画像記録材料。
【００２６】
空隙含有層とは、微細な空隙が均一な分散状態を呈して配された層のことで、具体的には、二軸延伸シートにより形成されたフィルム状の樹脂中に、中空微粒子や多孔性微粒子等の微粒子を含有させたものが挙げられる。
【００２７】
また、本発明は、画像形成層を有する面と反対側の面に印刷面を設け印刷位置に対応するように無線素子の搭載位置を決めることにより、ＩＣチップがカード表面から見えなくてもＩＣチップの設置位置が特定できるので、カードを所定の大きさにカッティングする際に誤ってＩＣチップを破損したりせず、また、記録情報の読出しを円滑に行うことの可能な画像記録材料を見出した。
【００２８】
〔５〕基体上に無線交信可能な無線素子を有する画像記録材料において、該画像記録材料は、片側の面に画像形成層を有し、かつ、該画像形成層を有する面と反対側の面に印刷面を有し、該印刷面における印刷実施領域に対応して、該無線素子の搭載位置が決められていることを特徴とする画像記録材料。
【００２９】
〔６〕基体上に無線交信可能な無線素子を有する画像記録材料において、該画像記録材料は、片側の面に画像形成層を有し、かつ、該画像形成層を有する面と反対側の面に印刷面を有し、該印刷面上に着色剤と該無線素子とを混合したインクで該無線素子を含有する領域を形成することを特徴とする画像記録材料。
【００３０】
上記〔６〕に記載の構成では、無線素子を印刷インクと混合し無線素子を含有する印刷インクを用いて裏面印刷を行う。その結果、印刷インクの付着した特定の箇所に無線素子が局在するので、迅速な情報の記録と読出しが可能である。また、無線素子は基体の色と異なることが多いので、印刷インクと混合してカード上に配置することにより、カード裏面側のムラが少なくなって画質の向上が見出された。
【００３１】
〔７〕前記画像形成層が、ハロゲン化銀写真乳剤を含有することを特徴とする前記〔１〕〜〔６〕のいずれか１項に記載の画像記録材料。
【００３２】
上記〔７〕に記載の構成では、画像形成層がハロゲン化銀写真乳剤層であることにより、顔写真の画像形成に適した高階調な画像を有する画像記録材料が得られるとともに、画像記録材料に一体で設けられた画像形成層中にハロゲン化銀写真画像を形成するので、繰り返し使用や高温高湿環境で画像がカードから剥離しない高耐久性の画像記録材料が得られる。
【００３３】
【発明の実施の形態】
本発明は、基体上に白色顔料含有層等の複数の層を有する無線交信可能な画像記録材料に関する。
【００３４】
図１は、本発明の代表的な層構成を有してなる画像記録材料の断面を示す模式図である。
【００３５】
本発明に係る画像記録材料１は、以下に記す各層の支持体である基体（以下支持体とも言う。）１１上に、ＩＣチップ等の無線交信可能な無線素子を含有する無線素子含有層１２、特定の白色顔料よりなる白色顔料含有層、又は微細な空隙を含有する空隙含有層１３、及び顔写真画像等の画像を形成する画像形成層１４を有する。また、これらの層を有する側とは反対側の面に、文字情報等を印刷する印刷実施層１５を有する。
【００３６】
本発明に係る画像記録材料１では、無線素子含有層１２が基体１１と白色顔料含有層１３との間に設けられ、画像形成層１４が白色顔料含有層１３の上層に設けられることを特徴とする。
【００３７】
また、本発明に係る画像記録材料では、無線素子含有層１２を設けずに前述の印刷実施層１５に印刷インクとともに無線素子を配置させるものでもよい。
【００３８】
印刷実施層１５は、例えば基体表面に樹脂コートを施し、溶融型インク等による文字情報の印刷やボールペンやサインペン或いは鉛筆等の筆記用具を介して直接の書き込みが可能である。
【００３９】
次に、白色顔料含有層について説明する。
本発明に係る画像記録材料は、画像形成層側に白色顔料含有層を有してなることを特徴とするもので、該白色顔料の平均粒径が０．１μｍ以上０．２５μｍ以下の範囲内にある白色顔料を含有させることで、本発明の効果である画像ムラのない良好な顔画像等の階調画像形成を可能にしている。
【００４０】
ここで、平均粒径とは平均１次粒径のことで白色顔料粒子そのものの平均粒径を指す。本発明に係る白色顔料の平均１次粒径の具体的な測定方法は、白色顔料の粒子群を電子顕微鏡で観察し、粒子体積とその頻度の積が最大となる粒子体積の立方根を平均粒径とするものである。
【００４１】
本発明で、好ましく使用される白色顔料の平均粒径は、０．１μｍ以上０．２５μｍ以下の範囲であり、より好ましくは０．１３μｍ以上０．２３μｍ、特に好ましくは０．１５μｍ以上０．２５μｍ以下である。
【００４２】
本発明では、上記平均粒径の範囲内にあれば、白色顔料を単独で用いてもよいし複数の異なる白色顔料を混合して用いてもよい。複数の平均粒径の異なる白色顔料を併用した場合、混合された白色顔料の平均１次粒径が０．１μｍ以上０．２５μｍ以下の範囲内にあればよい。
【００４３】
また、本発明に係る画像記録材料では、白色顔料の分散度を示す、占有面積の変動係数の値が０．２５以下の時に、本発明の効果である画像ムラの発生を低減した美しい高画質階調画像が得られることが見出された。
【００４４】
塗布された白色顔料粒子の分散度は、感光材料の白色顔料含有層をタンパク質分解酵素などにより溶解し、得られた白色顔料を電子顕微鏡で撮影し、その撮影占有面積を求め、占有面積比率（％）の変動係数により評価する。変動係数の下限は０である。
【００４５】
白色顔料の変動係数を０．２５以下に調整する方法としては、界面活性剤の存在下に白色顔料を十分に混練する方法がある。また、遠心分離等を利用して大粒子成分と小粒子成分を除去することによっても得られる。
【００４６】
白色顔料の単位面積当たりの占有面積比率（％）は、最も代表的には、観察された面積を相接する６μｍ×６μｍの単位面積に区分し、その単位面積に投影される粒子の占有面積比率（％）（Ｒｉ）を測定して求める。
【００４７】
占有面積比率（％）の変動係数は、Ｒｉの平均値（Ｒ）に対するＲｉの標準偏差Ｓの比（Ｓ／Ｒ）によって求められる。対象とする単位面積の個数は５０以上が好ましい。従って、変動係数Ｓ／Ｒは、
Ｓ／Ｒ＝〔Σ（Ｒｉ−Ｒ）／ｎ−１〕１／２／（ΣＲｉ／ｎ）
（ここで、Σはｉ＝１からｎまでの総和を示す。）
によって求められる。
【００４８】
前述の様に、白色顔料の占有面積の変動係数を０．２５以下にすると、本発明の効果である画像ムラのない高画質画像が画像形成層上に形成される。そして、より有効な効果を得るには０．２０以下が好ましく、さらに好ましくは０．１５以下で、特に好ましくは０．１０以下である。
【００４９】
また、本発明に係る画像記録材料では、白色顔料含有層にルチル型の酸化チタンを白色顔料として用いると、画像ムラのない美しい高画質画像を画像形成層に得られる。なお、本発明ではルチル型酸化チタンの含有比率が多い程、画像ムラの低減化に効果を有することが確認されている。
【００５０】
そして、本発明では、ルチル型酸化チタンのみ単独で使用することを必ずしも必須とするものではなく、ルチル型酸化チタンとともに他の無機及び／又は有機の白色顔料を併用するものでも可能である。具体的には、例えば、硫酸バリウム等のアルカリ土類金属の硫酸塩、炭酸カルシウム等のアルカリ土類金属の炭酸塩、微粉珪酸、合成珪酸塩のシリカ類、珪酸カルシウム、アルミナ、アルミナ水和物、酸化チタン、酸化亜鉛、タルク、クレイ等が挙げられ、これらの中でも好ましくは硫酸バリウム、炭酸カルシウム、アナターゼ型等の他の酸化チタンが挙げられる。
【００５１】
上記白色顔料は、ポリエチレン等の樹脂層やゼラチン等の親水性コロイド層に分散含有させて白色顔料含有層を形成するものであるが、ポリエチレン樹脂層中に分散含有させて白色顔料含有層を形成するものが好ましい。
【００５２】
前述の様に、本発明の画像記録材料に係る白色顔料含有層１３は、基体１１と画像形成層１４との間に設けられる。基体と画像形成層との間には白色顔料含有層の他に、基体上の任意の位置に無線交信可能な無線素子含有層１２や、下塗り層或いは中間層等の高画質画像形成を促進させる機能を有する層を設けることができる。
【００５３】
次に、本発明の画像記録材料に係る空隙含有層について説明する。
本発明に係る空隙含有層は、微細な空隙が均一な分散状態を呈して配された層で、二軸延伸シート等のフィルム状シート樹脂形成手段により形成されたフィルム上に中空微粒子や多孔性微粒子等の微粒子を含有した層を設けることにより得られる。中空微粒子の具体例としては、たとえば、架橋スチレン−アクリル中空樹脂粒子として、日本合成ゴム（株）製のＪＳＲ中空粒子ＳＸ８６３（Ｐ）が挙げられる。中空樹脂粒子よりなる空隙含有層は、ゼラチン溶液に該中空樹脂粒子や多孔性粒子のペースト液を添加してホモミキサーにより攪拌し界面活性剤を添加して調製してなる塗布液をフィルム状シート上に塗布して得られる。
【００５４】
また、多孔性微粒子の具体例としては、特開昭６０−１９８２８６号公報に開示されている様な多孔性無機微粒子が挙げられ、例えばシリカ、クレー、ケイソウ土、炭酸カルシウム、硫酸カルシウム、サチンホワイト、ケイ酸アルミニウム、アルミナ、ゼオライト等が挙げられる。
【００５５】
なお、本発明の画像記録材料では、空隙含有層を前述の白色顔料含有層の上層或いは下層に設けて併用するものであってもよい。
【００５６】
次に、本発明に係る画像記録材料を構成する無線素子含有層を説明する。なお、本発明でいう無線素子含有層とは無線素子を含有するものであれば、その形態を限定するものではなく、画像記録材料中に無線素子を含有する層を設けて該無線素子を含有させる形態の他に、例えば、紙基体中に無線素子を紙を漉き込んだものや、２つの基体間に無線素子を挟み込んでなる構造のもの等も含まれる。
【００５７】
本発明に係る画像記録材料に使用される無線交信可能な無線素子とは、具体的には無線交信により情報のやりとりを行い、該情報を記録するＩＣチップを言うが、ＩＣチップ以外の情報のやりとりを行う通信手段であるループアンテナや、同調用コンデンサ及びこれらの部品をつなぐ配線等も含まれる。
【００５８】
図２は、本発明に係る画像記録材料における無線素子の配置例を示す模式図である。画像記録材料１は前述した基体１１上に、ＩＣチップ２１、ループアンテナ２２、同調用コンデンサ２３が配線を介して接続されて配置されている。そして、本発明に係る画像記録材料１は、前述の画像形成層１４において画像ムラを有さない高画質画像を形成する。
【００５９】
次に、本発明に係る画像形成層について説明する。本発明に係る画像形成層は、顔写真画像のような画像や文字画像等の画像を、たとえば、ハロゲン化銀写真感光材料処理装置により露光、現像処理を行って画像形成を行うものが挙げられる。画像形成層をハロゲン化銀乳剤層とすることにより、顔写真の画像形成に適した高階調な画像が得られるとともに、温度や湿度の影響に耐久性を有する画像が得られる。
【００６０】
また、本発明の画像記録材料中の画像形成層は、ハロゲン化銀写真感光材料処理装置による画像形成を行うものの他に、インクジェットプリンタ、昇華インク型プリンタ、あるいは溶融インク型プリンタ等の画像形成装置で画像形成を行うものであってもよい。
【００６１】
次に、本発明に係る画像記録材料を構成する基体について説明する。
本発明に係る画像記録材料に用いられる基体は、プラスチックシート状の樹脂材料の他に、原紙を使用するものも挙げられる。
【００６２】
基体にパルプ材料よりなる原紙を使用することで、基体内に無線素子を含有させることが可能である。すなわち、基体内に無線素子を含有させるとは、原紙は、長さが数ｍｍ〜数ｃｍの短繊維を漉いてなるものであるので、短繊維間に無線素子を漉き込むことで基体への無線素子の内蔵が可能である。基体本体に無線素子を内蔵させることにより、カードの厚みが薄くできて、より携帯性に優れた使いやすい無線素子を有する画像記録材料が得られる。
【００６３】
また、基体をパルプ材料よりなる原紙で製造すると、使用済みや期限切れといった理由で不要になったカードの処分が容易に行え、また、使用済みのカードから無線素子を取り出して再利用することも容易に行えるので、原紙を基体として使用する画像記録材料ではプラスチック製のカードでは得られない環境に優しいＩＣカードの提供が可能である。
【００６４】
本発明に係る画像記録材料に用いられる基体として、原紙を使用するものはその両面にポリオレフィン樹脂をラミネートしたものが好ましい。
【００６５】
該支持体として用いられる原紙は、一般に写真印画紙やインクジェット用用紙として用いられる原料から選択できる。例えば天然パルプ、合成パルプ、天然パルプと合成パルプの混合物の他、各種の抄合わせ紙原料を挙げることができる。一般には、針葉樹パルプ、広葉樹パルプ、針葉樹パルプと広葉樹パルプの混合パルプ等を主成分とする天然パルプを広く用いることができる。更に、該支持体中には、一般に製紙において用いられるサイズ剤、定着剤、強力増強剤、充填剤、帯電防止剤、染料、顔料等の添加剤が配合されてもよく、また、表面サイズ剤、表面強力剤、帯電防止剤等を適宜表面に塗布したものでもよい。
【００６６】
また、本発明に係る画像記録材料では、パルプより基体を製造する際に、パルプを構成する植物繊維間にＩＣチップを絡ませ、ＩＣチップを基体中に漉き込むことでＩＣチップの基体への含有が可能である。
【００６７】
本発明に係る画像記録材料に用いられる原紙よりなる支持体は、通常、５０〜３００ｇ／ｍ２の質量を有する表面の平滑なものが用いられ、又、その両面をラミネートする樹脂は、エチレン、ポリエチレンテレフタレート、α−オレフィン類、例えばポリプロピレン等の単独重合体、前記オレフィンの少なくとも２種の共重合体又はこれら各種重合体の少なくとも２種の混合物等から選択することができる。特に好ましいポリオレフィン樹脂は、低密度ポリエチレン、高密度ポリエチレン又はこれらの混合物である。
【００６８】
支持体にラミネートされるポリオレフィン樹脂の分子量は特に制限するものではないが、通常、２万〜２０万の範囲のものが用いられる。
【００６９】
また、画像記録材料の画像形成層を有する側のポリオレフィン樹脂被覆層は、好ましくは２５〜５０μｍであり、更に好ましくは２５〜３５μｍである。
【００７０】
支持体の裏面側（画像形成層を設ける面の反射側）をラミネートするために用いられるポリオレフィンは、普通、低密度ポリエチレンと高密度ポリエチレンの混合物が、それ自体溶融ラミネートされる。そして、この層は一般にマット化加工されることが多い。
【００７１】
支持体の表裏のラミネート形成に当たり、一般に画像形成済みの画像記録材料の常用環境における平担性を高めるために、表側の樹脂層の密度を裏側より若干大きくしたり、又は表側よりも裏側のラミネート量を多くする等の手段が用いられる。
【００７２】
又、一般に支持体の表裏両面のラミネートは、ポリオレフィン樹脂組成物を支持体上に溶融押出しコーティング法により形成できる。又、支持体の表面あるいは必要に応じて表裏両面にも、コロナ放電処理、火炎処理等を施すことが好ましい。又、表面ラミネート層表面上に、写真乳剤との接着性を向上させるためのサブコート層、あるいは裏面のラミネート層上に、印刷筆記性や帯電防止性を向上するためのバックコート層を設けることが好ましい。
【００７３】
また、本発明に係る画像記録材料は、該基体をプラスチックシート状の樹脂材料で形成するものでもよく、一般にカード材料として使用される高分子材料が使用される。具体的には、ポリ塩化ビニル樹脂、ポリエステル樹脂、ポリビニルアセタール樹脂、ポリビニルブチラール樹脂、エポキシ樹脂、アクリル樹脂等の高分子材料が挙げられる。
【００７４】
次に、本発明の無線素子の設置位置を特定することのできる画像記録材料について説明する。図３は印刷実施層１５上に印刷マーク２４を付与した画像記録材料の例を示す模式図である。図３（ａ）に示す様に、本発明の画像記録材料は、画像形成層を有する面と反対側の面に印刷面を設け、該印刷面における印刷位置と対応するように無線素子の搭載位置を決めることにより、または、無線素子の搭載位置に一致するように印刷面における印刷位置を決めることにより、ＩＣチップがカード表面から見えない状態にあってもＩＣチップの設置位置を特定することが可能である。
【００７５】
すなわち、画像記録材料の片側の面に画像形成層を有するとともに、かつ、該画像形成層を有する面と反対側の面には印刷面を設け、該印刷面上の印刷実施領域の直下に無線素子の搭載位置が存在するように印刷面における印刷を実施する。このように、印刷位置に対応して無線素子の搭載位置を決めておくことにより、ＩＣチップがカード表面から見えなくてもＩＣチップの設置位置を特定できるので、成形したカードを所定の大きさにカッティングするときに誤ってＩＣチップを破損することがない。また、ＩＣチップの設置位置が特定できるので、ＩＣチップへの情報の記憶や記録された情報を迅速に読出すことが可能である。
【００７６】
また、着色剤と微小な無線素子とを混合してなるインクを使用して印刷マークを形成するものでは、図３（ｂ）に示す様に、印刷マーク２４内にのみ無線素子２１が局在しているものである。この様に微小な無線素子２１を印刷マーク内に配置することで、さらなる迅速な情報の記録と読出しが可能である。また、無線素子は基体の色と異なることが多いので、印刷インクと混合してカード上に配置することにより、印刷実施面におけるムラが少なくなり画質の向上が達成されるという効果が見出されている。
【００７７】
【実施例】
以下、実施例を挙げて本発明を詳細に説明するが、本発明の実施態様はこれらに限定されるものではない。
〔第１実験〕
秤量１８０ｇ／ｍ２の紙パルプの両面に、高密度ポリエチレンをラミネートしてなる支持体を作成し、該支持体上にＩＣチップを搭載した層を設け、該ＩＣチップを搭載した層の上に白色顔料として酸化チタンを用いた白色顔料含有層と画像形成層を形成し、図１に示す層構成を有するＩＣチップを搭載したクレジットカードサイズの画像記録材料である実施例１〜７と比較例１〜６を作製した。
【００７８】
なお、実施例４は、前述の高密度ポリエチレンをラミネート層の上層、詳しくは白色顔料含有層の上層に中空微粒子層を追加した以外は、比較例５と同様にした。中空微粒子層の塗布液はゼラチン溶液に平均粒径０．７μｍで平均内粒径０．４μｍのスチレン・アクリル樹脂粒子（日本合成ゴム社製の高架橋ポリマー粒子）のペースト液を添加し、ホモミキサーにより攪拌し界面活性剤を添加して調製した。
【００７９】
また、各試料に用いられたＩＣチップには、読み取り用のデータとして、
氏　　名　　日本　桃太郎
生年月日　　昭和３９年１０月１０日
社員番号　　１２３４５６７８９０
住　　所　　千葉県千葉市稲毛区小中台町８丁目９番３号
電話番号　　０４７（２５６）１２３４
という内容のデータを記録した。
【００８０】
実施例１〜７及び比較例１〜６に、所定の露光と処理を行って画像形成を行い、得られた画像について画像ムラの評価を行った。
〈画像ムラの評価〉
画像形成後のグレー濃度が１．０となる様に露光し、現像処理後の画像について、目視で画像ムラを観察し、下記基準で評価した。○以上を合格とした
◎◎：画像ムラが全く認められない
◎　：画像ムラが僅かに認められる
○　：画像ムラが若干認められるが実用可
×　：画像ムラが目立ち実用不可
××：画像ムラが明らかに目立つ。
結果を表１に示す。
【００８１】
【表１】
2004098604.tif 000003
【００８２】
表１に示す様に、本発明に係る画像記録材料では、画像ムラが発生しない高画質の画像が得られることが確認された。また、上記各試料について内蔵したＩＣチップに記録された情報の読取りを行ったところ、本発明に係る画像記録材料ではいずれもＩＣチップに記録された情報を瞬時に読みとることができたが、比較例では読みとりに数秒の遅れを有するものが見られた。
〔第２実験〕
１．実施例８の作製
第１実験で作製した実施例１をクレジットカードサイズ（縦５８ｍｍ、横８５ｍｍ）のカードを９枚得られる裁断前の段階にある画像記録シート（縦２００ｍｍ、横３００ｍｍ、ＩＣチップが縦６４ｍｍ、横９９ｍｍ間隔で搭載）の画像形成層側と反対側の支持体上に設けられている印刷実施層上に、印刷インクを用いて「ＴＥＳＴ」という文字を印刷した。
【００８３】
この時印刷文字の中央部（「ＴＥＳＴ」のＥとＳとの間）が、内蔵されたＩＣチップの搭載位置と一致する様に印刷を行った後、該シート上の印刷文字の中央部を基準にして該シートの裁断を行って、９枚のクレジットカードサイズの試料を得た。この作業を１０回行い全部で９０枚の試料を作製した。
２．実施例９の作製
実施例８において、画像記録材料シート内にＩＣチップを搭載する代わりに、印刷インク中に微小ＩＣチップを含有させ、該微小ＩＣチップを含有した印刷インクを用いて実施例８と同様に画像形成層側と反対側の支持体上に設けられた印刷実施層上に「ＴＥＳＴ」という文字を印刷し、該シート上の印刷文字の中央部を基準にして該シートの裁断を行い、１枚のシートから９枚のクレジットカードサイズのカードを作製し、全部で９０枚の試料を作製した。
３．比較例７の作製
実施例８を作製したものと同じ画像形成シートにおいて、印刷実施層上に［ＴＥＳＴ］の印字を行わずに、該シートの裁断を行って９枚のクレジットカードサイズの試料を得、１０枚のシートから９０枚のクレジットカードサイズの試料を作製した。
４．評価
上記実施例８と９、及び比較例７より得られた各９０枚のクレジットカードサイズの試料で、裁断時にＩＣチップが破損したカードの枚数を確認した。
【００８４】
その結果、印刷文字の中央部とＩＣチップの搭載位置とを一致させた実施例８や印刷文字中に微小ＩＣチップを有する実施例９では、裁断作業によるＩＣチップの破損が全く確認されなかった。一方、印刷文字を印字せず、ＩＣチップの搭載位置の確認できない比較例７では１８枚のカードでＩＣチップの破損が見られた。
【００８５】
【発明の効果】
本発明に係る無線交信可能な無線素子を含有する画像記録材料によれば、基体上に特定条件を有してなる白色顔料含有層或いは空隙含有層を設け、該基体と該白色顔料含有層或いは該空隙含有層との間に無線素子を搭載させることにより、画像ムラが発生することなく、しかも、カードの繰り返し使用や常時懐中に置く様な状態でも発汗による湿度の影響で画像面が剥離することがない高画質で、かつ安定した画像が得られる画像記録材料の提供を可能にした。
【００８６】
また、本発明に係る無線交信可能な無線素子を含有する画像記録材料によれば、無線素子の搭載位置が印刷した情報により確認できるので、カード裁断時に誤ってＩＣチップを破損させたりすることがなく、しかもＩＣチップへの情報記録や読出しを効率よく行うことの可能な画像記録材料の提供を可能にした。
【図面の簡単な説明】
【図１】本発明に係る画像記録材料の代表的な層構成例を示す模式図である。
【図２】本発明に係る画像記録材料における無線素子の配置例を示す模式図である。
【図３】印刷実施層上に印刷マークを付与した画像記録材料の例を示す模式図である。
【符号の説明】
１　画像記録材料
１１　基体（支持体）
１２　無線素子含有層
１３　白色顔料含有層又は空隙含有層
１４　画像形成層
１５　印刷実施層
２１　ＩＣチップ（無線素子）
２２　ループアンテナ
２３　同調用コンデンサ
２４　印刷マーク
【図１】
2004098604.tif 000004
【図２】
2004098604.tif 000005
【図３】
2004098604.tif 000006